(57)【特許請求の範囲】
【請求項１】
換気装置が設けられた室内に設置され、少なくとも２つのバーナと、これらのバーナを収容するコンロ本体と、該コンロ本体の前面に設けられた操作パネルとを備え、該操作パネルに、押圧操作により各バーナの点火・消火を行う複数の押圧スイッチと、夫々の押圧スイッチに対応する上方位置に突出して左右方向のスライド操作により各バーナの火力調節を行う複数の火力調節レバーとが設けられ、少なくとも２つの前記押圧スイッチが左右方向に隣接して配置されていると共に、当該２つの押圧スイッチの夫々に対応する前記火力調節レバーのスライド範囲が左右方向に延びる同一線上に隣接して配置されているガスコンロであって、
前記バーナの燃焼時に換気装置の運転を制御するための赤外線信号を発光させる赤外線発光部を備えるものにおいて、
前記操作パネルは、互いに隣接して配置された２つの火力調節レバーのスライド範囲の両方にわたって連続して形成された左右方向に長手のレバー用スライド孔を備え、
各火力調節レバーは、該レバー用スライド孔における夫々のスライド範囲に対応する位置から前記操作パネルの前方に突出し、
前記赤外線発光部は、前記レバー用スライド孔の２つの前記スライド範囲の境界部に露出して設けられていることを特徴とするガスコンロ。
【請求項２】
請求項１記載のガスコンロにおいて、
前記押圧スイッチの点火押圧操作に連動して、当該押圧操作が行われた押圧スイッチに対応する前記火力調節レバーを、そのスライド範囲における前記赤外線発光部側から離反させると共に点火に適した火力位置に移動させるレバー移動機構を備えることを特徴とするガスコンロ。
【発明の詳細な説明】
【技術分野】
【０００１】
本発明は、換気装置の運転を制御するための赤外線信号を発光させる赤外線発光部を備えるガスコンロに関する。
【背景技術】
【０００２】
一般に、ガスコンロが設置された厨房においては、ガスコンロの上方位置に換気扇等の換気装置が設置されている。そして、ガスコンロを使用して調理を行うときに換気装置を作動させることにより、ガスコンロのバーナから生じる燃焼排気、及び調理物から生じる油煙や水蒸気等が強制的に屋外に排出されるので、室内空気を清浄に保つことができる。
【０００３】
ガスコンロを使用して調理を行う場合には、室内を換気することが不可欠である。そこで、使用者による室内換気のし忘れを防止するために、換気装置をガスコンロの使用と連動させるようにしたものが知られている（例えば、特許文献１参照）。
【０００４】
このものでは、ガスコンロから換気装置の作動を制御する赤外線信号を発信することにより、換気装置が受信した赤外線信号に応じた換気動作を行うようにしている。ガスコンロに設けられる赤外線の発光部は、ガスコンロのコンロ本体の前面に設けられている。コンロ本体の前面には、バーナの点火・消火を行うスイッチ類が配設された操作パネルが設けられている。
【０００５】
そして、操作パネルに配設されたスイッチ類を操作者が操作してバーナに点火させると、それに連動して発光部から赤外線信号が発信され、これを受信した換気装置は換気動作を開始する。また、操作者がスイッチ類を操作してバーナを消火させると、それに連動して発光部から赤外線信号が発信され、これを受信した換気装置は換気動作を停止する。
【０００６】
発光部は、ガスコンロにおいて汚染され難い位置に設けることが好ましく、ガスコンロを操作する際の操作者に赤外線を反射させてその上方位置の換気装置に照射することができることから、ガスコンロの前面に設けられている操作パネルに好適に設けられる。
【先行技術文献】
【特許文献】
【０００７】
【特許文献１】特開２００２−１６８４９０号公報
【発明の概要】
【発明が解決しようとする課題】
【０００８】
ところで、この種の赤外線発光部は、赤外線発光素子と、この発光素子の正面を覆う暗色のカバーとを備えて構成されている。そして、ガスコンロの操作パネル等の前面パネルに赤外線発光部を設けるとき、パネルの外表面からは赤外線発光部のカバーが露出する。
【０００９】
しかし、赤外線発光部のカバーは、一般に、可視光の透過を抑えて赤外線が透過する黒色の樹脂が採用されるため、赤外線発光部のカバーとパネルの外表面の色とが異なる場合にはガスコンロの美観や高級感を低下させてしまう不都合がある。
【００１０】
また、パネルの外表面にマークや火力表示等の印刷が施されている場合には、その表示印刷を赤外線発光部のカバーと同色とし、表示印刷の一部に赤外線発光部を設けることで、外観上は赤外線発光部を目立たなくすることができる。
【００１１】
しかし、パネルの外表面に比較的大きな表示印刷が設けられている場合には、赤外線発光部を表示印刷の一部に設けることが可能であるが、比較的小さな表示印刷によりシンプルなデザイン性を高めている場合には、表示印刷の一部に赤外線発光部を設けると違和感が生じ、ガスコンロの美観や高級感を阻害するおそれがある。
【００１２】
上記の点に鑑み、本発明は、ガスコンロの前面の操作パネルに赤外線発光部を設けてもガスコンロの美観や高級感を低下させることのないようにしたガスコンロを提供することを目的とする。
【課題を解決するための手段】
【００１３】
かかる目的を達成するため、本発明は、換気装置が設けられた室内に設置され、少なくとも２つのバーナと、これらのバーナを収容するコンロ本体と、該コンロ本体の前面に設けられた操作パネルとを備え、該操作パネルに、押圧操作により各バーナの点火・消火を行う複数の押圧スイッチと、夫々の押圧スイッチに対応する上方位置に突出して左右方向のスライド操作により各バーナの火力調節を行う複数の火力調節レバーとが設けられ、少なくとも２つの前記押圧スイッチが左右方向に隣接して配置されていると共に、当該２つの押圧スイッチの夫々に対応する前記火力調節レバーのスライド範囲が左右方向に延びる同一線上に隣接して配置されているガスコンロであって、前記バーナの燃焼時に換気装置の運転を制御するための赤外線信号を発光させる赤外線発光部を備えるものにおいて、前記操作パネルは、互いに隣接して配置された２つの火力調節レバーのスライド範囲の両方にわたって連続して形成された左右方向に長手のレバー用スライド孔を備え、各火力調節レバーは、該レバー用スライド孔における夫々のスライド範囲に対応する位置から前記操作パネルの前方に突出し、前記赤外線発信部は、前記レバー用スライド孔の２つの前記スライド範囲の境界部に露出して設けられていることを特徴とする。
【００１４】
本発明によれば、操作パネルにおいて、前記レバー用スライド孔の一部に赤外線発信部が露出して設けられるので、レバー用スライド孔が見かけ上暗色であることにより直線的に長い暗色のラインの一部として赤外線発信部を目立たなくすることができる。しかも、赤外線発信部はレバー用スライド孔の２つのスライド範囲の境界部に位置するので、レバー用スライド孔における２つのスライド範囲の仕切りとして視認され、ガスコンロの美観や高級感の低下を防止することができる。
【００１５】
また、本発明のガスコンロにおいては、前記押圧スイッチの点火押圧操作に連動して、当該押圧操作が行われた押圧スイッチに対応する前記火力調節レバーを、そのスライド範囲における前記赤外線発信部側から離反させると共に点火に適した火力位置に移動させるレバー移動機構を備えることが好ましい。
【００１６】
これによれば、火力調節レバーが赤外線発信部の近傍に位置していても、押圧スイッチの操作に応じてレバー移動機構が火力調節レバーを赤外線発信部側から離反させ、赤外線発信部の周囲を開放させるので、例えば、押圧スイッチを押圧操作している操作者の手に赤外線を確実に反射させることができる。
【図面の簡単な説明】
【００１７】
【図１】ガスコンロの設置状態を示す正面図。
【図２】ガスコンロの要部を示す斜視図。
【図３】赤外線発光部の説明的断面図。
【図４】火力調節レバーの作動を示す説明図。
【図５】レバー移動機構を示す斜視図。
【発明を実施するための形態】
【００１８】
本発明の一実施形態を図面に基づいて説明する。図１に示すように、本実施形態のガスコンロ１は、厨房のカウンターに設置される所謂ドロップインコンロである。ガスコンロ１の上方には、ガスコンロ１の使用時に換気を行うための換気扇２（換気装置）が設置されている。
【００１９】
ガスコンロ１は、コンロ本体３の天面に第１コンロバーナ４、第２コンロバーナ５、及び第３コンロバーナ６を備え、前面にグリル７を備えている。コンロ本体３の前面には、グリル７の両側の夫々に配置した第１及び第２の操作パネル８，９が設けられている。
【００２０】
図１において左側の第１操作パネル８には、第１コンロバーナ４の点火・消火を行うための第１押圧スイッチ１０と、第２コンロバーナ５の点火・消火を行うための第２押圧スイッチ１１とが露出して設けられている。
【００２１】
第１押圧スイッチ１０に対応する上方位置には、左右方向のスライド操作により第１コンロバーナ４の火力を調節する第１火力調節レバー１２が前方に突出して設けられている。同様に、第２押圧スイッチ１１に対応する上方位置には、左右方向のスライド操作により第２コンロバーナ５の火力を調節する第２火力調節レバー１３が前方に突出して設けられている。
【００２２】
図１及び図２に示すように、第１操作パネル８には、第１火力調節レバー１２のスライド範囲と第２火力調節レバー１３のスライド範囲との両方にわたって連続するレバー用スライド孔１４が形成されている。
【００２３】
レバー用スライド孔１４における第１火力調節レバー１２のスライド範囲と第２火力調節レバー１３のスライド範囲との境界部には、第１赤外線発光部１５が設けられている。第１赤外線発光部１５は、図３に示すように、赤外線発光素子１６と、この発光素子１６の正面を覆うカバー１７とを備えて構成されている。カバー１７は、赤外線を透過するが可視光線は透過し難い暗色の合成樹脂で形成されている。
【００２４】
レバー用スライド孔１４は、その内部が見かけ上暗色として目に映り、そこに暗色の第１赤外線発光部１５を設けたことにより、あたかも同暗色に映り第１赤外線発光部１５は目立たない。
【００２５】
図１において右側の第２操作パネル９には、グリル７の内部に設けられた図示しないグリルバーナの点火・消火を行うためのグリル用押圧スイッチ１８と、第３コンロバーナ６の点火・消火を行うための第３押圧スイッチ１９とが露出して設けられている。
【００２６】
グリル用押圧スイッチ１８に対応する上方位置には、グリルバーナの火力の強弱を切換えるための火力切換ボタン２０が前方に突出して設けられ、第３押圧スイッチ１９に対応する上方位置には、第３コンロバーナ６の火力を調節するための第３火力調節レバー２１が前方に突出して設けられている。また、第２操作パネル９におけるグリル用押圧スイッチ１８の上方には、グリル用押圧スイッチ１８がグリル操作と対応するものであることを示す魚形状のマークが設けられているが、このマークは、第２赤外線発光部２２とされている。即ち、第２赤外線発光部２２は、赤外線を透過するが可視光線は透過し難い暗色の合成樹脂で形成され、その内部に図示しない赤外線発光素子が設けられている。
【００２７】
ガスコンロ１は、第１押圧スイッチ１０、第２押圧スイッチ１１、グリル用押圧スイッチ１８、第３押圧スイッチ１９のうち何れかのスイッチが押圧操作されると、その操作に応じて第１赤外線発光部１５と第２赤外線発光部２２との両方から同じ赤外線信号を発光させるようになっている。即ち、ガスコンロ１は、図示しないコンロ制御部により、上記スイッチにより点火されると、点火操作を示す赤外線信号を第１赤外線発光部１５及び第２赤外線発光部２２から送信し、消火操作が行われたときには、消火操作を示す赤外線信号を第１赤外線発光部１５及び第２赤外線発光部２２から送信する。
【００２８】
一方、図１に示すように、換気扇２には、赤外線受光部２３が設けられている。そして換気扇２は、第１赤外線発光部１５及び第２赤外線発光部２２から送信された赤外線信号を受信したとき、受信した赤外線信号に応じて作動するようになっている。即ち、換気扇２は、図示しない換気制御部により、点火操作を示す赤外線信号を受信したとき換気動作を行い、消火操作を示す赤外線信号を受信したとき所定時間を置いて換気動作を停止する。
【００２９】
ところで、第１赤外線発光部１５は、図４（ａ）に示すように、レバー用スライド孔１４に設けたことにより、第１火力調節レバー１２と第２火力調節レバー１３との何れもが第１赤外線発光部１５から離れた位置にあれば、十分な光量で換気扇２に向って赤外線信号を発信することが可能である。
【００３０】
それに対し、図４（ｂ）に実線で示すように、第１火力調節レバー１２と第２火力調節レバー１３との一方又は両方が第１赤外線発光部１５の近傍に位置していると、第１赤外線発光部１５からの赤外線信号の発信が阻害されるおそれがある。しかし、本実施形態のガスコンロ１においては、図４（ｂ）に仮想線で示すように、第１押圧スイッチ１０を押圧操作すると同時に第１火力調節レバー１２が第１赤外線発光部１５から離れ、第２押圧スイッチ１１を押圧操作すると同時に第２火力調節レバー１３が第１赤外線発光部１５から離れるようになっているから、第１赤外線発光部１５の周囲が開放され、しかも、第１押圧スイッチ１０や第２押圧スイッチ１１を操作した使用者の手に赤外線信号を確実に反射させることができるから、赤外線信号の発信が阻害されることはない。
【００３１】
このことについて、更に詳しく説明する。図２に示すように、第１火力調節レバー１２は、第１ニードル弁２４に連結され、第２火力調節レバー１３は、第２ニードル弁２５に連結されている。
【００３２】
第１ニードル弁２４は、第１火力調節レバー１２のスライド操作に応じてニードルピン２６を介して開閉方向に進退される。即ち、第１火力調節レバー１２を図２においてスライド範囲の左端（強火位置）に向ってスライドさせると第１ニードル弁２４が開方向に移動して燃料ガスの供給量を増加させ、スライド範囲の右端（弱火位置）に向ってスライドさせると第１ニードル弁２４が閉方向に移動して燃料ガスの供給量を減少させる。
【００３３】
更に、第１ニードル弁２４は、図５に示すように、第１押圧スイッチ１０の点火時の押圧操作に応じて第１火力調節レバー１２を点火位置（中火位置）に位置させるレバー移動機構２７を備えている。
【００３４】
レバー移動機構２７は、例えば、本出願人が先に出願した特願２００７−２２９２９６号（特開２００９−６３１８１号公報参照）を採用することができる。よって、レバー移動機構２７については簡単に説明するが、点火のために第１押圧スイッチ１０を押圧すると、進退部材２８が後退してカム板２９に連設された押圧部３０を押圧する。これによりカム板２９が軸３１を介して水平回動してニードルピン２６を移動させ、第１ニードル弁２４が点火用開度となる。同時に、ニードルピン２６を介して第１火力調節レバー１２が移動され、これによって、第１火力調節レバー１２は、図２においてスライド範囲の略中央（中火位置）に強制的に位置される。図示しないが、第２ニードル弁２５も同様のレバー移動機構を備えることにより、点火のために第２押圧スイッチ１１を押圧すると、ニードルピン３２の移動に伴い、第２火力調節レバー１３がスライド範囲の略中央（中火位置）に強制的に位置される。
【００３５】
従って、図４（ｂ）に仮想線で示すように、第１押圧スイッチ１０を押圧操作すると同時に第１火力調節レバー１２が第１赤外線発光部１５から離れ、第２押圧スイッチ１１を押圧操作すると同時に第２火力調節レバー１３が第１赤外線発光部１５から離れるから、第１火力調節レバー１２及び第２火力調節レバー１３とにより赤外線信号の発信が阻害されることはない。
【符号の説明】
【００３６】
１…ガスコンロ、２…換気扇（換気装置）、３…コンロ本体、４…第１コンロバーナ（バーナ）、５…第２コンロバーナ（バーナ）、８…第１操作パネル（操作パネル）、１０…第１押圧スイッチ（押圧スイッチ）、１１…第２押圧スイッチ（押圧スイッチ）、１２…第１火力調節レバー（火力調節レバー）、１３…第２火力調節レバー（火力調節レバー）、１４…レバー用スライド孔、１５…第１赤外線発光部（赤外線発光部）、２７…レバー移動機構。
【図１】
0005465214.tif 000002
【図３】
0005465214.tif 000003
【図４】
0005465214.tif 000004
【図２】
0005465214.tif 000005
【図５】
0005465214.tif 000006